(57)【要約】【目的】  津波の際に着用することにより、溺れることを防止すると共に浮いていても流木等で打撃を受けたり、流されて固定物に衝突して傷つくのを防止できる津波用救命浮き袋を提供する。【構成】  人の形に合わせた外被をガラスファイバーと内側に浮力材として発泡スチロールとして人が着用する。左保護体１と右保護体２は左右の中央で前後方向に垂直な面で合わせてある。背部は縦方向の長丁番で結合され、おび６で左右保護体１，２はしばりつけられる。左右保護体１，２は頭覆部１ａ，２ａ、肩覆部１ｂ，２ｂ、胴覆部１ｃ，２ｃ、腰覆部１ｄ，２ｄを備える。津波の際着用することにより浮力を得、外力から身を守る。【選択図】  図１
2012245919.tif 000002
【特許請求の範囲】
【請求項１】
水に浮く浮き袋であって、併せて人体の頭、肩、腰を覆うように人体の左右のほぼ中央の縦方向の相当位置で分割されほぼ人の左上半身を覆う外被が硬質材料で外被の内側に軟質の浮力を備えた耐衝撃性材を有する左保護体と右保護体と、
左保護体と右保護体の背部側で両者をほぼ垂直方向の軸線で回転自在に結合し、左保護体と右保護体の前部を開閉可能とした結合部材と、
左保護体１と右保護体２の前部側が閉じた状態で両者を取り外し可能に拘束する連結部材と、
を有することを特徴とする津波用救命浮き袋。
【請求項２】
左保護体と右保護体は結合部材を中心に回転して閉じた状態で水平断面が左右方向にやや長い中空長円形の胴覆部と、
胴覆部から下方に向って次第に拡大する腰覆部と、
胴覆部の左右上部から左右外側に向って突出して肩の上部を覆うと共に下方が腕を出せるように胴覆部内と連通する開口を有する肩覆部と、
胴覆部から上に向って設けられ前部に顔の相当位置に設けた開口を有し頭を覆う頭覆部と、
を有することを特徴とする請求項１に記載の津波用救命浮き袋。
【発明の詳細な説明】
【技術分野】
【０００１】
本発明は津波用救命浮き袋に関する。
【背景技術】
【０００２】
従来、救命用の浮き袋、胴衣で周知されているものは中空部に空気を封入して浮力を保つもの例えば、特開平８−２４４６８３号公報に示す簡易救命具がある。この公報には可撓性で非透水性のフイルムを張り合わせて、互に一部が連通した複数個のエアポケット付のジャケット本体を構成すると共に、少なくとも１個のエアポケットには栓付きのエア導入口を連設し、更に、ジャケット本体の左右の前みごろを互に連結するみごろ連結手段を設けて成る簡易救命具が開示されている。また、浮揚物片を外被中に設けた救命衣が実開昭４９−１０９３９８号公報に示されている。一般に固形の浮揚物として多用されているのは発泡スチロールである。
【先行技術文献】
【特許文献】
【０００３】
特許文献1    特開平８−２４４６８３号公報
特許文献２    実開昭４９−１０９３９８号公報
【非特許文献】
【０００４】
なし
【発明の概要】
【発明が解決しようとする課題】
【０００５】
特許文献１、２に示される発明は人体に浮力を与える点で有用である。しかし、何れも人体にフィットするように柔軟に作られている。
【０００６】
東北地震では海岸近くの町は津波により建物等が壊滅的に破壊された。津波で溺死された方で浮き袋、救命胴衣をつけていた人は見分されていない。仮に従来例の浮き袋、救命胴衣を着用していたとしても津波により破壊された家屋から出る木材等に衝突するとその打撃を受け傷つく。
【０００７】
津波は一時なので浮いていれば助かる可能性があるが浮いていたとしても流木等で打撃を受けたり、自らが流水と共に流れて残存家屋等固定物に衝突することがある。救命胴衣は浮力を与えることは出来るが外力に対しては充分でない。
本発明は津波による身体に対する衝撃から身体を保護できると共に浮力を与えることの出来る津波用救命浮き袋を提供することを目的とする。
【課題を解決するための手段】
【０００８】
本出願に係る第1の発明は水に浮く浮き袋であって、併せて人体の頭、肩、腰を覆うように人体の左右のほぼ中央の縦方向の相当位置で分割されほぼ人の左上半身を覆う外被が硬質の材料で内被の内側に軟質の浮力を備えた耐衝撃性材を有する左保護体と右保護体と、
左保護体と右保護体の背部側で両者をほぼ垂直方向の軸線で回転自在に結合し、左保護体と右保護体の前部を開閉可能とした結合部材と、
左保護体と右保護体の前部側が閉じた状態で両者を取り外し可能に拘束する連結部材と、
を有することを特徴とする津波用救命浮き袋である。
本出願に係る第２の発明は左保護体と右保護体は結合部材を中心に回転して閉じた状態で水平断面が左右方向にやや長い中空長円形の胴覆部と、
胴覆部から下方に向って次第に拡大する腰覆部と、
胴覆部の左右上部から左右外側に向って突出して肩の上部を覆うと共に下方が腕を出せるように胴覆部内と連通する開口を有する肩覆部と、
胴覆部から上に向って設けられ前部に顔の相当位置に設けた開口を有し頭を覆う頭覆部と、
を有することを特徴とする第1の発明に記載の津波用救命浮き袋である。
【発明の効果】
【０００９】
本発明によれば、背部側の結合部材を中心にして左右に左保護体と右保護体の前部を開いて、間に人があるように津波用浮き袋をかぶって、左保護体と右保護体を背部の結合部材を中心にして閉じて前部の連結部材を連結するだけであるので速やかに装着できる。
【００１０】
外被が硬質材料例えば硬質合成樹脂であるので外力に対して充分強度を持たせることが出来、外被の内側に浮力を備えた耐衝撃性材料、例えば発泡スチロール層を設けたので浮力を受ける部材が外力により損なわれることがなく、外被に津波中の流木が衝突したとしても身体へは発泡スチロールを介して外力が伝わるだけなのでダメージは軽減される。
【図面の簡単な説明】
【００１１】
【図１】実施例の全体を示す正面図である。
【図２】図１の側面図である。
【図３】図１の平面図である。
【図４】図１の胴覆部の水平断面図である。
【図５】左右保護体の結合部材を示し、図１の胴覆部の水平断面図である。
【図６】一部胴覆部を含む肩覆部の縦断面図である。
【図７】（ａ）は連結部材の平面図（ｂ）は（ａ）の正面図である。
【図８】連結部材の尾錠（バックル）を示す斜視図である。
【図９】各覆部における構成材の内外部方向の断面図である。
【図１０】頭覆部の水平断面図である。
【図１１】腰覆部の背面図である。
【実施例】
【００１２】
以下、本発明の実施例を図面に従って説明する。
図１は正面図、図２は図１の側面図、図３は図１の平面図、図４は図１の胴覆部の水平断面図である。図４は図３に対して前後を反対にして図示してある。
図１、図２において点線は後述の内被７の人体に面する表面を示してある。
（全体構成）
【００１３】
実施例は、併せて人体の頭、肩、胴、腰を覆うようにほぼ人体の左右の中央の縦方向の相当位置で分割され人のほぼ左上半身を覆う左保護体１と人の右上半身を覆う右保護体２と、左保護体１と右保護体２の背部側で両者をほぼ垂直方向の軸線で回転自在に結合し左保護体１と右保護体２の前部を開閉可能とした結合部材の長丁番３と、左保護体１と右保護体２の前部側が閉じた状態で両者を取り外し可能に拘束する連結部材５を有する。
（左保護体）
【００１４】
人の左半身を覆う左保護体１は人の頭の左半分を覆う頭覆部１ａと、人の左肩を覆う肩覆部１ｂと、人の胴体の左半分を覆う胴覆部１ｃと、人の腰の左半部を覆う腰覆部１ｄを一体に有する。
（右保護体）
【００１５】
左保護体１と右保護体２は人の中心相当位置を前後にとおる縦方向の平面ＰＬを対称の中心として対称に構成されている。右保護体２は頭覆部２ａ、肩覆部２ｂ、胴覆部２ｃ、腰覆部２ｄを有する。
（頭覆部）
【００１６】
左頭覆部１ａと右頭覆部２ａを併せてその中に人の頭が入る中空の形状である。本例では併せた状態での頭覆部１ａ，２ａは上部１ａ１，２ａ１が中空のほぼ半球形で下部１ａ２，２ａ２が該半球形に連続する中空のほぼ円筒形である。頭覆部１ａ，２ａに本浮き袋を装着した状態で顔面となる部分に開口１ａ３，２ａ３が設けてある。開口１ａ３，２ａ３は上下方向にやや長い長円形である。
（肩覆部）
【００１７】
肩覆部１ｂ，２ｂは頭覆部１ａ，２ａの下部１ａ２，２ａ２のすぐ下から、胴覆部１ｃ，２ｃの上部から左右に突出している。肩覆部１ｂ，２ｂの左右に突出した部分上部は肩を覆うことができ下部は腕をとおすように開口２ｂ１，２ｂ２（図６参照）となっている。図６は右肩側を示すが左肩側は図６に対して左右対称である。外部はこの開口２ｂ１，２ｂ２を間にして左右の保護体１，２の胴覆部１ｃ，２ｃ内に通じている。左保護体１、右保護体２を閉じて併せた状態で肩覆部１ｂ，２ｂの左右方向の幅及び前後方向の幅は人の肩が肩覆部１ｂ，２ｂに覆われる大きさである。
（胴覆部）
【００１８】
左保護体１、右保護体２を閉じて併せた状態での胴覆部１ｃ，２ｃの水平断面は左右方向に長い中空長円形状であって人の胴を収容し得る大きさである。この大きさは胴を締め付けないように胴よりもわずかに大きくなるように選ばれる。胴覆部１ｃ，２ｃは人の胴部に合わせるように鎧の形状にしてもよい。
（腰覆部）
【００１９】
左保護体１、右保護体２を閉じて併せた状態で腰覆部１ｄ，２ｄは胴覆部１ｃ，２ｃの下端に続いて、その上端は胴覆部１ｃ，２ｃと同形同寸であって、下方に向って次第に拡がる中空のすそとしてある。下方に向って拡げてあるので歩き易くなっている。腰覆部１ｄ，２ｄは腰だけでなく、大腿の上部を保護するのであるので脚を動かせるように下方に向って拡大しているものである。
（結合部材）
【００２０】
胴覆部１ｃ，２ｃの背部は縦方向に長丁番３で結合されている。これによって、左保護体１、右保護体２は長丁番３を中心にして回転自在であるので、左保護体１、右保護体２の前部を図５に示すように開くことができる。このように開くことが出来る開口の幅ｗは胴覆部１ｃ，２ｃにおいては人の胴の左右幅よりも大きいことが望ましい。同様に腰覆部１ｄ，２ｄにおける開口の幅は上端が前記幅ｗで下方に向って次第に大きくなる。腰覆部１ｄ，２ｄにおいける開口の幅は人の腰の左右の幅より大きいことが望ましい。前記幅ｗは人が体を斜めにしても開いた左保護体１と右保護体２に入り得るけれども、緊急時のことを考えると前期幅ｗは人の胴の幅よりも大きく開けることが望ましい。
【００２１】
頭覆部１ａ，２ａは左保護体１、右保護体２の前部が開いた状態で前部の開口から頭が頭覆部１ａ，２ａ中に入るように開くことが望ましいことは胴覆部１ｃ，２ｃ、腰覆部１ｄ，２ｄにのべた処と同様である。腰覆部１ｄ，２ｄの後部は下方に向って次第に大きくなるように切り込まれている（図３、図４、図１１符号ａ）。
（連結部材）
【００２２】
図７、図８には連結部材５が示されている。連結部材５は左保護体１、右保護体２を閉じた状態を保つものである。連結部材５はバックル４とおび６を有する。図１、図７に示すように胴覆部１ｃ，２ｃを囲撓しておび６が上下に２帯設けてある。おび６は胴覆部１ｃ，２ｃの後半分の外側に接着剤で固定されている。おび６の前半分は胴覆部１ｃ，２ｃに固定されていない。おび６の胴覆部１ｃ，２ｃの前部に相当する位置はばね鋼板製のバックル４で係脱可能に結合される。バックル４は掛金４ａ、受金４ｂが係脱可能に設けてある。
【００２３】
一方のおび６は端部が掛金４ａのピン４ａ１に巻付けて固定されている。他方のおび６の端部は結合位置を調整可能（調整手段は示されないが予め合わせておく）に受金４ｂに固定されている。
【００２４】
掛金４ａは受金４ｂの端部のピン４ｂ１に引っ掛かるように引っ掛け部４ａ２を設けてある。引っ掛け部４ａ２の平面図形は半円形である。引っ掛け部４ａ２からピン４ａ１にのびる平板部４ａ３はピン４ａ１を取り巻いて平板部４ａ４に続く、平板部４ａ４の先端は引っ掛け部４ａ２の端部の内側に弾力で軽く接触している。帯状のおび６，６の材質は軟質ゴムである。
【００２５】
掛金４ａと受金４ｂの係脱は、平板部４ａ４を引っ掛け部４ａ２の端近くでピン４ｂ１に押し当て、引っ掛け部４ａ２と平板部４ａ４の間をあけ、掛金４ａと受金４ｂを引き離すことにより、ピン４ｂ１は引っ掛け部４ａ２に引っ掛けられる。平板部４ａ４の先端はばね力で復元し、引っ掛け部４ａ２に接する。これによって、掛金４ａと受金４ｂをどのように引き離そうとしても、掛金４ａと受金４ｂは外れない。
【００２６】
掛金４ａと受金４ｂを外すには掛金４ａの平板部４ａ４を指で押して、平板部４ａ４の先端と引っ掛け部４ａ２の先端を引き離してこれらの間からピン４ｂ１を平行移動して抜き出す。
上記において平板部４ａ３は胴覆部１ｃ，２ｃに接し、平板部４ａ４は平板部４ａ３の外部側として用いるが、この逆であってもよい。
（各部構成）
図９は各覆部１ａ〜１ｄ，２ａ〜２ｄにおける内外部向の中間部の断面を示している。
【００２７】
外被１１と内被７の間に浮力材８を設けた層で各覆部１ａ〜１ｄ，２ａ〜２ｄは基本的に構成されている。各覆部１ａ〜１ｄ，２ａ〜２ｄの端部は外被１１の厚さで内被７と結ばれている。この端部はガラスファイバー強化合成樹脂又は耐衝撃性合成樹脂（ＨＩＰＳ）で構成されている。
【００２８】
ここで外被１１は例えばガラスファイバー強化合成樹脂で層厚５ミリメートル、内被７はガラスファイバー強化合成樹脂、人工皮革等で厚さ３ミリメートル、浮力材８は発泡スチロールで内外被７，１１間に高圧充填され厚さ１２ミリメートルである。
【００２９】
図１０に示すように頭覆部１ａ，２ａの開口１ａ３，２ａ３には帯状のめがね９が設けてある。めがね９は透明な合成樹脂製である。めがね９は頭を頭覆部１ａ，２ａに入れた際に目の位置に相当する位置にある。めがね９の一端は開口２ａ３の縁において頭覆部２ａに固定されている。めがね９の他端は開口１ａ３の縁において頭覆部１ａに設けられた上下方向の条溝１ａ４に嵌め込まれるようになっている。上記において、開口１ａ３，２ａ３の縁は外皮１１と内被７は硬質材のガラスファイバー強化合成樹脂又は耐衝撃性合成樹脂（ＨＩＰＳ）で１体に連結している（図示されない）。
【００３０】
頭覆部１ａ，２ａの合わせる縁には、互に嵌合する条溝１ａ５と突条２ａ９が設けてある。条溝１ａ５、突条２ａ９は図２において開口１ａ３，２ａ３の上縁ｂから上に向って凸形の半円につづいて頭覆部１ａ，２ａの円筒部１ａ２，２ａ２の下部ｃまで連続して設けてある。
【００３１】
図５に示すように、左右保護体１，２が長丁番３を中心にして開いたとき、頭覆部１ａ，２ａは長丁番３を中心にして開くので、めがね９は条溝１ａ４から外れる。左右保護体１，２を長丁番３を中心にして図５の開いた状態から閉じると頭覆部１ａ，２ａは長丁番３を中心にして閉じ、めがね９の端部は条溝１ａ４に嵌入する。
【００３２】
図１０に示す左右保護体１，２が閉じた状態においてめがね９に漂流物がぶつかっても、外方へ向って凸形（本例では円形）のめがね形状のため、漂流物はそらされてしまう。また、めがね９は外力を受けても、条溝１ａ４の底にめがね９の自由端が押し込まれて外れることがない。
【００３３】
図６は肩覆部２ｂを示す。肩覆部１ｂと肩覆部２ｂとは平面ＰＬを中心として左右対称の形状である。頭覆部２ａの内被２ａ７は肩の上側形状に合わせて断面半円形の内被２ｂ７で外方へ延出され、端部２ｂ７１は肩の丸みに合わせてある。頭覆部２ａの外被２ａ１１は肩覆部２ｂの外被２ｂ１１に連続している。内被２ｂ７と外被２ｂ１１はほぼ平行しており端部は連続している。
【００３４】
腕がとおる部分の開口２ｂ２において、胴覆部２ｃの端部は内被２ｃ７と外被２ｃ１１の間は外被が斜部２ｃ１１´でもって内被２ｃ７に近づき、内外被７，１１端部はこの部分は一体となっている。
開口２ｂ１は腕のつけねがゆるく入る断面形状である。開口２ｂ２は腕を振り回せるように下腕よりも大きい。
【００３５】
図１、図２に示すように腰覆部１ｄ，２ｄの周壁は外被２ｄ１１と内被２ｄ７の間隔が下方に行くに従って小さくなり、下端で外被２ｄ１１と内被２ｄ７は一体となっている。
【００３６】
図５に示すように胴覆部１ｃ，２ｃの開く端部には上下方向に条溝１ｃ１、突条２ｃ１が設けられている。左右の保護体１，２を長丁番３を中心にして回転して閉じると、条溝１ｃ１と突条２ｃ１が嵌合する。これによって前方から、本実施例の浮き袋に異物が衝突しても左右の保護体１，２が併せて外力を受けるので、外力に対して耐力が増す。この条溝１ｃ１、突条２ｃ１回りの胴覆部１ｃ，２ｃの縁の外被１１と内被７間は強固な材質、例えば耐衝撃性合成樹脂（ＨＩＰＳ）で結合されている。
【００３７】
胴覆部１ｃ，２ｃに設けた条溝１ｃ１、突条２ｃ１は腰覆部１ｄ，２ｄの前側の上下方向の縁に同様に設ける（条溝１ｃ１、突条２ｃ１として同符号を用いる、断面は図示されないが、図４、図５と同様である）。
【００３８】
上記において、頭覆部１ａ，２ａの頂部から胴覆部１ｃ，２ｃの下端までの頭部、顔、上半身の保護部分の大きさは７６０ミリメートル、頭覆部１ａ，２ａの水平断面の外径は２８０ミリメートル、胴覆部１ｃ，２ｃの左右方向の外側間の寸法は４４０ミリメートル、胴覆部１ｃ，２ｃの前後方向の外側間の寸法は３２０ミリメートル、肩覆部１ｂ，２ｂの胴覆部１ｃ，２ｃからの左右方向への突出長さは１５０ミリメートル、腰覆部１ｄ，２ｄの下端の左右方向の長さは４９０ミリメートル、腰覆部１ｄ，２ｄの下端の前後方向の長さは３７０ミリメートル、腰覆部１ｄ，２ｄの上下方向の寸法は２４０ミリメートルである。これらの各部の寸法は大人用の１例であって子供、大人等に合せるほか体格に従って合わせる。
（作用）
【００３９】
図５に示すように左保護体１、右保護体２を長丁番３を中心にして開くと、夫々頭覆部１ａ，２ａ、胴覆部１ｃ，２ｃ、腰覆部１ｄ，２ｄの夫々の前側は開く。そこで、これを装着する人は背中側からこれをかぶるようにして左保護体１、右保護体２の間に入る。その際に、右腕を開口２ｂ１，２ｂ２を通じて外部へ出す。左腕についても図示されない開口１ｂ１，１ｂ２を通じて外部へ出す。頭は開いた頭覆部１ａ，２ａ間、胴は開いた胴覆部１ｃ，２ｃ間、腰は開いた腰覆部１ｄ，２ｄ間中にある。そして、長丁番３を中心にして回転して左保護体１、右保護体２の前側を閉じる。このとき、めがね９の一端（自由端）は条溝１ａ４に嵌入する。そして胴覆部１ｃ，２ｃ及び腰覆部１ｄ，２ｄの条溝１ｃ１と突条２ｃ１が嵌合する。また、頭覆部１ａの条溝１ａ５と突条２ａ９が嵌合する。
【００４０】
次に自然長では掛金４ａと受金４ｂが離れるように調節してあるゴム製のおび６を伸長して受金４ｂのピン４ｂ１に掛金４ａを掛ける。これによって、胴覆部１ｃ，２ｃ、腰覆部１ｄ，２ｄの嵌合している条溝１ｃ、突条２ｃ１は放れ難くなる。
【００４１】
このように人が浮き袋を装着した状態で津波中にあるとき、浮力材の発泡スチロールがあるので泳げない人も浮いてしまう。津波中の流木が左右保護体に衝突したとしても、硬質のグラスファイバー強化合成樹脂によりなる外被により保護され、その内側の軟質の浮力材の発泡スチロールにより前記衝突に生ずる衝撃を緩和される。顔は頭覆部１ａ，２ａの開口１ａ３，２ａ３の縁でめがね９が固定状態にあるので仮にめがね９に力を受けても、頭覆部１ａ，２ａに外力が伝達されるだけで人の顔は外力に対して保護される。手足は外部に出ているので歩行したり、手を使うことが出来る。手足の保護として長手袋、長靴を用いてもよい。
【００４２】
左保護体１と右保護体２は外形が結合部材３を中心にして回転して閉じた状態で、各部が球形又は円形又は円形に近い形である。即ち、頭覆部１ａ，２ａが上部が半球形で下部が円筒形ある。肩覆部１ｂ，２ｂは端部前後が４分球形で上部が断面円弧形である。胴覆部１ｃ，２ｃは水平断面がやや左右方向に長い長円形である。左保護体１と右保護体２はこのような形状であり外被１１が硬質な材料のため、津波で漂流物が衝突してもそれ易く、直撃されなければ、人体への衝撃は小さい。直撃されたとしても、浮力材６の発泡スチロールがあるので衝撃は緩和される。
【００４３】
バックル４を外して長丁番３を中心にして左保護体１、右保護体２を回転して前側を開き開口１ｂ１，１ｂ２，２ｂ１，２ｂ２を通じて腕をぬき、本浮き袋を脱ぐ。
【産業上の利用可能性】
【００４４】
海そばの町は津波が来るとひとたまりも無い・東北地震が教えてくれている・・溺死の方で浮き袋を付けていた方は無かった・そこで開発した・家に体型に合った人数分の本津波用浮き袋を常時用意して置いて  逃げ遅れて津波が近くにきても  即体にはめ込めば浮いて  しかも流されてきたもろもろの漂流物から身を守り  なおかつ強力な浮き力を  内蔵された器具を開発した・津波は一時なので浮いて体を守れば生きられるチャンスは広がる・たとえ海に浮いて流されたとしても浮いて居られるので何とでもなる・日本は海沿いの都市が多い・しかも地震大国でもある・是が非でも用意して置いてほしいものである。１０秒で体にセット出来る救命浮き袋です。
【符号の説明】
【００４５】
１…左保護体  １ａ…頭覆部  １ａ１…上部  １ａ２…下部  １ａ３…開口  １ａ４…条溝  １ａ５…条溝  １ｂ…肩覆部  １ｂ１，１ｂ２…開口  １ｃ…胴覆部  １ｃ１…条溝  １ｄ…腰覆部  
【００４６】
２…右保護体  ２ａ…頭覆部  ２ａ１…上部  ２ａ２…下部  ２ａ３…開口  ２ａ７…内被  ２ａ９…突条  ２ａ１１…外被  ２ｂ…肩覆部  ２ｂ１，２ｂ２…開口  ２ｂ３…上覆部  ２ｂ４…端部  ２ｂ７…内被  ２ｂ１１…外被            ２ｂ７１…端部  ２ｃ…胴覆部  ２ｃ１…突条  ２ｃ７…内被  ２ｃ１１…外被  ２ｃ１１´…斜部  ２ｄ…腰覆部  ２ｄ７…内被  ２ｄ１１…外被
３…結合部材の長丁番
４…バックル  ４ａ…掛金  ４ａ１…ピン  ４ａ２…引っ掛け部  ４ａ３，  ４ａ４…平板部  ４ｂ…受金  ４ｂ１…ピン
５…連結部材
６…おび
７…内被
８…浮力材
９…めがね
１１…外被
【図１】
2012245919.tif 000003
【図２】
2012245919.tif 000004
【図３】
2012245919.tif 000005
【図４】
2012245919.tif 000006
【図５】
2012245919.tif 000007
【図６】
2012245919.tif 000008
【図７】
2012245919.tif 000009
【図８】
2012245919.tif 000010
【図９】
2012245919.tif 000011
【図１０】
2012245919.tif 000012
【図１１】
2012245919.tif 000013